(57)【要約】【課題】通信回線を介して行うコミニュケーションがより充実したものになることが可能になる表示制御システムおよび情報端末を提供する。【解決手段】ホスト装置２と情報端末３との接続が完了し、ホスト装置２は情報を情報端末３に送信し、情報端末３は受信した情報を表示部に表示する。この時、ホスト側で資料が配布される場合には、ホスト装置２は資料の電子データを情報端末３に送信し、情報端末３は受信した資料の電子データを補助表示装置４に送信し、補助表示装置４は受信した資料の電子データを記憶する。そして、ホスト装置２は資料が開いているページ等を示す情報を情報端末３に送信し、情報端末３は受信した資料が開いているページ等を示す情報に基づき、補助表示装置４に資料のページを表示させる指示の制御信号を送信し、補助表示装置４はホスト側が開いている資料のページを表示部に表示する。【選択図】　図１
2004110565.tif 000002
【特許請求の範囲】
【請求項１】
ホスト側に設置されたホスト装置とネットワークを介して情報通信を行う情報端末が、表示装置と通信を行う表示制御システムにおいて、
前記情報端末は、
前記ホスト装置から前記ホスト側で使用される情報を受信し、該受信した情報を前記表示装置に転送し、
前記表示装置は、前記情報端末から転送された情報を格納し、
その後、前記情報端末は、前記ホスト装置から前記情報の表示制御の指示を受信した際に、該受信した情報の表示制御の指示を前記表示装置に転送し、
前記表示装置は、前記情報端末から転送された情報の表示制御の指示に基づき、前記格納した情報を表示する
ことを特徴とする表示制御システム。
【請求項２】
前記ホスト側で使用される情報が文書である場合、
前記ホスト側で文書の頁を変更すると、前記ホスト装置は、変更後の頁の情報を前記情報端末に送信し、
前記情報端末は、前記ホスト装置から受信した変更後の頁の情報を前記表示装置に転送し、
前記表示装置は、前記表示装置から転送された変更後の頁の情報に基づき、表示する文書の頁を該変更後の頁に変更する
ことを特徴とする請求項１記載の表示制御システム。
【請求項３】
前記情報端末と前記ホスト装置との情報通信を停止した際に、該情報端末から前記表示装置が格納する情報の表示制御を行う
ことを特徴とする請求項１記載の表示制御システム。
【請求項４】
前記表示装置と前記情報端末との通信を停止した際に、該表示装置が該表示装置が格納する情報の表示制御を行う
ことを特徴とする請求項１記載の表示制御システム。
【請求項５】
ホスト側に設置されたホスト装置とネットワークを介して情報通信を行う情報端末において、
前記ホスト装置から取得した情報を表示する表示手段と、
表示装置と通信を行う通信手段と
を具備し、
前記通信手段により前記ホスト装置から取得した情報を前記表示装置に転送し、
該転送した情報に対する表示制御の指示を前記ホスト装置から取得した際に、前記通信手段により前記表示装置に該表示制御の指示を転送する
ことを特徴とする情報端末。
【請求項６】
前記ホスト装置との情報通信を停止した際に、前記表示装置の情報の表示制御を行う
ことを特徴とする請求項５記載の情報端末。
【発明の詳細な説明】
【０００１】
【発明の属する技術分野】
本発明は、表示制御システムおよび情報端末に関し、テレビ会議システムや遠隔教育システムといった複数の地点間でのコミュニケーションを取る表示制御システムおよび情報端末に関する。
【０００２】
【従来の技術】
従来、テレビ会議や遠隔教育のような複数の地点間でコミュニケーションを取る手段としては、テレビ会議システムやこれに類似したシステムが使われていた。これらのシステムでは、それぞれの地点での映像や音声を通信回線に載せることによって、コミュニケーションを取ることが可能である。
【０００３】
また、電子データ等の資料は電子メールやファイル転送を行うことでやり取りが可能である。また、映像や音声、ファイル転送のほか電子的なホワイトボードやチャット等の機能が搭載されたアプリケーションも存在し、複数地点間でコミュニケーションを取る手段として一般的に使用されている。
【０００４】
一方、情報端末の中でも上着のポケットに入る程度の小型の端末が普及し、機能も通常のＰＣ（Ｐｅｒｓｏｎａｌ　Ｃｏｍｐｕｔｅｒ）に近い機能を有しているとともに、今後も性能の向上が期待される。この情報端末を活用したコミュニケーション手段を実現することで、ノート型ＰＣのような重い物を持ち歩くことなく、外出先からでも円滑なコミュニケーションを実現することが出来る。
【０００５】
ここで、情報端末から遠隔のＰＣを操作することを実現しており、これを活用することにより外部環境から電子的なコミュニケーションを取ることが出来る技術が提案されている（例えば、特許文献１参照。）。
【０００６】
【特許文献１】
特開平１１−３８９５８号公報
【０００７】
【発明が解決しようとする課題】
しかし、特許文献１では、情報端末は小型ゆえに画面サイズが小さく、複数の機能を実現することは困難である。また、画面を切替えながら複数の機能の実行を実現したとしても、情報端末で見る場合には縮小して表示するか、一部をスクロールさせながら見ることになり、内容を把握するには不便であるという問題がある。
【０００８】
そこで、本発明は、上記問題を解消するとともに、補助的な表示装置を用意し、この補助的な表示装置の表示内容をホスト側でプレゼンテーション等の画面と同期を取ることにより、より充実したコミュニケーションを実現することを可能とする表示制御システムおよび情報端末を提供することを目的とする。
【０００９】
【課題を解決するための手段】
上記目的を達成するために、請求項１の発明は、ホスト側に設置されたホスト装置とネットワークを介して情報通信を行う情報端末が、表示装置と通信を行う表示制御システムにおいて、前記情報端末は、前記ホスト装置から前記ホスト側で使用される情報を受信し、該受信した情報を前記表示装置に転送し、前記表示装置は、前記情報端末から転送された情報を格納し、その後、前記情報端末は、前記ホスト装置から前記情報の表示制御の指示を受信した際に、該受信した情報の表示制御の指示を前記表示装置に転送し、前記表示装置は、前記情報端末から転送された情報の表示制御の指示に基づき、前記格納した情報を表示することを特徴とする。
【００１０】
また、請求項２の発明は、請求項１の発明において、前記ホスト側で使用される情報が文書である場合、前記ホスト側で文書の頁を変更すると、前記ホスト装置は、変更後の頁の情報を前記情報端末に送信し、前記情報端末は、前記ホスト装置から受信した変更後の頁の情報を前記表示装置に転送し、前記表示装置は、前記表示装置から転送された変更後の頁の情報に基づき、表示する文書の頁を該変更後の頁に変更することを特徴とする。
【００１１】
また、請求項３の発明は、請求項１の発明において、前記情報端末と前記ホスト装置との情報通信を停止した際に、該情報端末から前記表示装置が格納する情報の表示制御を行うことを特徴とする。
【００１２】
また、請求項４の発明は、請求項１の発明において、前記表示装置と前記情報端末との通信を停止した際に、該表示装置が該表示装置が格納する情報の表示制御を行うことを特徴とする。
【００１３】
また、請求項５の発明は、ホスト側に設置されたホスト装置とネットワークを介して情報通信を行う情報端末において、前記ホスト装置から取得した情報を表示する表示手段と、表示装置と通信を行う通信手段とを具備し、前記通信手段により前記ホスト装置から取得した情報を前記表示装置に転送し、該転送した情報に対する表示制御の指示を前記ホスト装置から取得した際に、前記通信手段により前記表示装置に該表示制御の指示を転送することを特徴とする。
【００１４】
また、請求項６の発明は、請求項５の発明において、前記ホスト装置との情報通信を停止した際に、前記表示装置の情報の表示制御を行うことを特徴とする。
【００１５】
【発明の実施の形態】
以下、本発明に係わる表示制御システムおよび情報端末の実施の形態について添付図面を参照して詳細に説明する。
【００１６】
図１は、本発明に係わる表示制御システムのシステム構成の一例を示す図である。なお、本発明に係わる表示制御システムを説明する際にテレビ会議システムの構成を具体的な実施例とする。
【００１７】
図１に示す表示制御システムは、ビデオカメラ１、ホスト装置２、ＰＤＡ等からなる情報端末３、補助表示装置４から構成されている。ホスト側となる会議室側では、必要に応じてプロジェクタ、マイク、スピーカ等が接続され、これに対して、接続する側のクライアントはネットワーク若しくは公衆回線等の通信回線５と接続することが可能な情報端末３に、表示用の補助装置として補助表示装置４が接続される。また、これ以外にも必要に応じて映像用のビデオカメラ１や音声の補助としてヘッドセットのような物を接続することが考えられる。
【００１８】
まず、ホスト装置２は通信回線５に接続し、情報端末３がホスト装置２に接続するための認証用アプリケーションを起動する。起動した認証用アプリケーションでは接続する情報端末３からのユーザーＩＤとパスワードによる認証が行われる。一方、情報端末３も通信回線５に接続し、ホスト装置２との通信を行うためのアプリケーションを起動し、ユーザーＩＤとパスワードを入力する。
【００１９】
以上により、ホスト装置２で認証が行われて問題が無ければ、情報端末３のホスト装置２への接続が完了し、ホスト装置２は情報（例えば、ビデオカメラ１の映像またはプロジェクタで投影されている映像）を通信回線５を介して情報端末３に送信し、情報端末３は受信した情報を表示部に表示する。
【００２０】
ここで、ホスト側である会議室でプレゼンテーション等による資料が配布される場合には、ホスト装置２は会議室内で配布される資料の電子データを情報端末３に送信し、情報端末３は受信した資料の電子データを補助表示装置４に送信し、補助表示装置４は受信した資料の電子データを記憶する。そして、会議室内で資料を用いたプレゼンテーション等が開始すると、ホスト装置２はホスト側で使用している資料、およびその資料が開いているページ等を示す情報を情報端末３に送信する。そして、情報端末３は受信した使用している資料、およびその資料が開いているページ等を示す情報に基づき、補助表示装置４に対してホスト側が使用している資料のページを表示させる指示の制御信号を送信し、補助表示装置４は指示の制御信号を受信すると、ホスト側が開いている資料のページを表示部に表示する。
【００２１】
なお、補助表示装置４をホスト装置２と、若しくは情報端末３とオフラインにして使用することも可能であり、必要に応じて、情報端末３からの操作あるいは補助表示装置４に設けられたボタンによる操作で、補助表示装置４の表示部に表示する資料や表示するページを変更することが可能である。
【００２２】
また、ビデオカメラ１とホスト装置２との接続および情報端末３と補助表示装置４との接続は有線通信を用いる構成でも無線通信を用い構成でも良く、特に限定しない。
【００２３】
図２は、情報端末３の概略構成の一例を示すブロック図である。
【００２４】
図２に示すように、情報端末３はＣＰＵ６、ＲＡＭ７、ＲＯＭ８、記憶部９、表示部１０、情報処理部１１、制御信号処理部１２、通信制御部１３から構成されている。
【００２５】
ここで、ＣＰＵ（Ｃｅｎｔｒａｌ　Ｐｒｏｃｅｓｓｉｎｇ　Ｕｎｉｔ）６は、情報端末３全体の制御処理を行う。
【００２６】
また、ＲＡＭ（Ｒａｎｄｏｍ　Ａｃｃｅｓｓ　Ｍｅｍｏｒｙ）７は、情報端末３のメインメモリとして利用される。
【００２７】
また、ＲＯＭ（Ｒｅａｄ　Ｏｎｌｙ　Ｍｅｍｏｒｙ）８は、ＣＰＵ６等に命令を与える等の情報端末３全体を制御するプログラムが記憶され、そのプログラムはＲＡＭ７にロードされることによって実行される。
【００２８】
また、記憶部９は、ハードディスク等の外部記憶装置である。
【００２９】
また、表示部１０は、ホスト装置２から送信された情報（例えば、視覚情報またはビデオカメラ１が撮り込んだ映像）を表示する。
【００３０】
また、情報処理部１１は、ホスト装置２から送信された情報を処理する。例えば、視覚情報またはビデオカメラ１が撮り込んだ映像は表示部１０に表示させ、音声情報は図示しないスピーカー等に出力させる。なお、ホスト装置２から送信された情報の中で、補助表示装置４に表示させたい情報がある場合は、予め補助表示装置４に表示する情報を選択することで、選択した情報を補助表示装置４に送信しておく。
【００３１】
また、制御信号処理部１２は、ホスト装置２から受信した情報が、補助表示装置４が表示若しくは記憶している情報に関するものである場合、その情報の内容に基づいて補助表示装置４に制御信号を送信する。
【００３２】
また、通信制御部１３は、通信回線５に接続してホスト装置２と通信を行うとともに、補助表示装置４に接続して通信を行う。
【００３３】
ここで、図１に示す表示制御システムにおいて、ホスト側と同期させて補助表示装置４に記憶した情報を表示させる際の処理手順について図３に示すフローチャートを参照して説明する。
【００３４】
ホスト装置からホスト側で使用している資料、およびその資料が開いているページ等を示す情報を受信し（ステップＳ３０１）、受信した情報に基づいて補助表示装置に対してホスト側が使用している資料のページを表示させる指示の制御信号を送信し（ステップＳ３０２）、補助表示装置は受信した制御信号に基づき、ホスト側が開いている資料のページを表示部に表示し（ステップＳ３０３）、処理手順を終了する。
【００３５】
図４は、図１に示す表示制御システムにおける情報端末３と補助表示装置４との表示例を示す図である。
【００３６】
図４に示すように、情報端末の表示部１４には、ビデオカメラ１が撮り込んだホスト側である会議室内の全体の様子が表示され、補助表示装置の表示部１５には、ホスト側の会議で使用されている資料が表示されている。
【００３７】
ここで、補助表示装置の表示部１５に表示されている資料には、資料の本体、資料名「会議資料」、および表示しているページと資料の全ページ数「１／２９」が表示されている。
【００３８】
つまり、ホスト側の会議でも「会議資料」の１ページ目が使用されている。そして、ホスト側の会議が進行して資料のページが進んでいく度に、補助表示装置の表示部１５に表示される資料のページも進んでいく。
【００３９】
なお、補助表示装置４をホスト装置２と、若しくは情報端末３とオフラインにして使用し、情報端末３からの操作あるいは補助表示装置４に設けられたボタンによる操作で、補助表示装置の表示部１５に表示する資料のページを変更することができる。
【００４０】
以上、本発明に関わる表示制御システムの実施例をテレビ会議システムの構成を一例として説明してきたが、ホスト側が病院の医者、クライアントが自宅にいる患者ということで遠隔の医療サービスシステムとして活用したり、また、ホスト側が学校の教室、クライアントが自宅または病院に入院している生徒ということで遠隔教育システムとして活用していくことも可能である。また、会社の会議室の発言者または学校の教室の先生等がホスト側となり、クライアント側に会議出席者または生徒とし、使用する資料またはテキストを電子データとして配布することで、資料またはテキストをコピーする手間や配布する手間を無くすことができるとともに、紙という資源の節約にも貢献することができる。
【００４１】
また、補助表示装置４は、表示制御を行うＣＰＵ、制御を行うプログラムおよびデータ等を格納したメモリ、他の機器との通信を行うための無線による通信ユニットを搭載することで、補助表示装置４に携帯電話または情報端末等から制御を行うとともに、補助表示装置４からも携帯電話または情報端末等に情報の提供ができる。そして、補助表示装置４は広告等を表示するための屋外等に設置されるものから、航空機や電車の座席の後ろに設けられる小型のものにも適用することが出来る。
【００４２】
例えば、屋外に表示されている補助表示装置４への表示内容はこの表示内容を制御するためのホストコンピュータに接続されている。補助表示装置４では、表示部に表示する内容とは別に、表示する内容に関連したテキスト情報（例えば、お店の広告が流れている場合にはその店の住所や電話番号等の情報）も保持している。補助表示装置４に表示されている内容を見て、情報を自分の携帯電話または情報端末等に取り込みたい場合には、これらの端末が補助表示装置４と無線による接続を行い、情報受信を行うことで情報を取り込むことが可能となる。入手した情報が住所や電話番号のような場合にはそのまま住所管理ツールに登録することも可能となる。
【００４３】
また、例えば、航空機または電車の座席の後ろに設けられる個人向けに情報を提供できるような小型の補助表示装置４には予め複数の情報が保持されている。通常、補助表示装置４はテレビとして使われる場合もあるし、広告またはお知らせ等の情報を表示することが可能である。補助表示装置４を使用したいユーザは携帯電話または情報端末から補助表示装置４に無線で接続した後、これらの端末より情報を取得する指示を送ると、補助表示装置４で保持している情報が端末上に表示され、ユーザが見たい情報を指示することにより、見たい情報が補助表示装置４に表示される。
【００４４】
また、近年の情報端末３は高度な機能を備えＰＣ等で作成した文書を簡易表示させることが可能である。しかし、情報端末３は小型ゆえに一画面で確認できる情報には制限がある。そこで、情報端末３と補助表示装置４とを無線で接続し、情報端末３から表示させたい情報を無線を介して補助表示装置４にファイル転送する。この際必要に応じて補助表示装置４で表示可能な形態にデータ変換を行う。ファイル転送が終了すると情報が自動的に表示される。
【００４５】
【発明の効果】
以上説明したように本発明によれば、通信回線を介して行うコミニュケーションがより充実したものになることが可能になるという効果を奏する。
【図面の簡単な説明】
【図１】本発明に係わる表示制御システムのシステム構成の一例を示す図である。
【図２】情報端末３の概略構成の一例を示すブロック図である。
【図３】図１に示す表示制御システムにおいて、ホスト側と同期させて補助表示装置４に記憶した情報を表示させる際の処理手順を示すフローチャートである。
【図４】図１に示す表示制御システムにおける情報端末３と補助表示装置４との表示例を示す図である。
【符号の説明】
１　　ビデオカメラ
２　　ホスト装置
３　　情報端末
４　　補助表示装置
５　　通信回線
６　　ＣＰＵ
７　　ＲＡＭ
８　　ＲＯＭ
９　　記憶部
１０　　表示部
１１　　情報処理部
１２　　制御信号処理部
１３　　通信制御部
１４　　情報端末の表示部
１５　　補助表示装置の表示部
【図１】
2004110565.tif 000003
【図２】
2004110565.tif 000004
【図３】
2004110565.tif 000005
【図４】
2004110565.tif 000006